(57)【要約】【課題】  情報処理装置から受信するジョブを出力すべき画像処理装置を特定し、特定された画像処理装置の省電力状態を速やかに解除する。【解決手段】    複数の画像処理装置または情報処理装置と通信する通信手段と、前記通信手段を用いて前記情報処理装置からジョブを受信する受信手段を備えるサーバ装置において、受信したジョブから取得するユーザ情報に基づいて当該ジョブを処理すべき画像処理装置を特定する。そして、特定された画像処理装置に対して、ユーザ情報とともに、省電力状態から通常状態へ復帰すべき指示を送信することを特徴とする。【選択図】  図３
2014235679.tif 000002
【特許請求の範囲】
【請求項１】
複数の画像処理装置または情報処理装置と通信する通信手段と、
前記通信手段を用いて前記情報処理装置からジョブを受信する受信手段と
受信したジョブから取得するユーザ情報に基づいて当該ジョブを処理すべき画像処理装置を特定する特定手段と、
特定された画像処理装置に対して、前記ユーザ情報とともに、省電力状態から通常状態へ復帰すべき指示を送信する送信手段と、
を備えることを特徴とするサーバ装置。
【請求項２】
前記画像処理装置から通知されるユーザ情報に基づいて、前記情報処理装置から受信したジョブを前記画像処理装置に転送する転送手段と、
を備えることを特徴とする請求項１記載のサーバ装置。
【請求項３】
前記特定手段は、各画像処理装置の使用頻度に基づいて、前記ジョブを処理すべき画像処理装置を特定することを特徴とする請求項１記載のサーバ装置。
【請求項４】
前記特定手段は、ジョブの処理を終了してからの経過時間に基づいて、前記ジョブを処理すべき画像処理装置に特定することを特徴とする請求項１記載のサーバ装置。
【請求項５】
前記特定手段は、ユーザによる登録情報に基づいて、前記ジョブを処理すべき画像処理装置を特定することを特徴とする請求項１記載のサーバ装置。
【請求項６】
前記情報処理装置からジョブを受信してから、各画像処理装置で当該ジョブの処理が実行されるまでの時間を集計して管理する管理手段を備え、
前記送信手段は、特定された画像処理装置に対して集計された時間に基づいて、前記省電力状態から通常状態へ復帰すべき指示を送信することを特徴とする請求項１乃至５のいずれか１項に記載のサーバ装置。
【請求項７】
複数の画像処理装置または情報処理装置と通信するサーバ装置の制御方法であって、
前記情報処理装置からジョブを受信する受信工程と
受信したジョブから取得するユーザ情報に基づいて当該ジョブを処理すべき画像処理装置を特定する特定工程と、
特定された画像処理装置に対して、前記ユーザ情報とともに、省電力状態から通常状態へ復帰すべき指示を送信する送信工程と、
を備えることを特徴とするサーバ装置の制御方法。
【請求項８】
前記画像処理装置から通知されるユーザ情報に基づいて、前記情報処理装置から受信したジョブを前記画像処理装置に転送する転送工程と、
を備えることを特徴とする請求項７記載のサーバ装置の制御方法。
【請求項９】
請求項６または７に記載のサーバ装置の制御方法をコンピュータに実行させることを特徴とするプログラム。
【発明の詳細な説明】
【技術分野】
【０００１】
本発明は、画像処理装置または情報処理装置と通信するサーバ装置、サーバ装置の制御方法、及びプログラムに関するものである。
【背景技術】
【０００２】
近年、ネットワーク環境の普及に伴い、複数のユーザで複数の画像処理装置を共有して利用することが一般的になってきた。それに伴い、機密性の高い印刷物を出力する際に他ユーザに見られないように、画像処理装置でユーザ認証を実行してから印刷実行を行う「留め置き印刷」の要望が高まっている。
例えば、画像処理装置内の、例えばハードディスク等の記憶領域に印刷データを蓄積し、ユーザ認証が行われるとユーザの印刷ジョブリストを表示し、ユーザが印刷データを指定して印刷実行を行う技術が提案されている（例えば特許文献１）。
【先行技術文献】
【特許文献】
【０００３】
【特許文献１】特開２００７−２５１２７９号公報
【発明の概要】
【発明が解決しようとする課題】
【０００４】
しかしながら、特許文献１のシステムでは、画像処理装置が省電力状態（例えば、スリープ状態）に移行していた場合、ユーザが印刷を指示してから印刷物が排出されるまでの時間が長期化するおそれがあった。
【０００５】
本発明は、上記の課題を解決するためになされたもので、本発明の目的は、情報処理装置から受信するジョブを出力すべき画像処理装置を特定し、特定された画像処理装置の省電力状態を速やかに解除できる仕組みを提供することである。
【課題を解決するための手段】
【０００６】
上記目的を達成する本発明のサーバ装置は以下に示す構成を備える。
複数の画像処理装置または情報処理装置と通信する通信手段と、前記通信手段を用いて前記情報処理装置からジョブを受信する受信手段と、受信したジョブから取得するユーザ情報に基づいて当該ジョブを処理すべき画像処理装置を特定する特定手段と、特定された画像処理装置に対して、前記ユーザ情報とともに、省電力状態から通常状態へ復帰すべき指示を送信する送信手段と、を備えることを特徴とする。
【発明の効果】
【０００７】
本発明によれば、情報処理装置から受信するジョブを出力すべき画像処理装置を特定し、特定された画像処理装置の省電力状態を速やかに解除できる。
【図面の簡単な説明】
【０００８】
【図１】情報処理装置を適用する印刷システムの構成を示す図である。
【図２】画像処理装置と情報処理装置のソフトウエアを示すブロック図である。
【図３】優先プリンタ判定処理を説明する図である。
【図４】画像処理装置の制御方法を説明するフローチャートである。
【図５】画像処理装置の制御方法を説明するフローチャートである。
【発明を実施するための形態】
【０００９】
次に本発明を実施するための最良の形態について図面を参照して説明する。
＜システム構成の説明＞
〔第１実施形態〕
【００１０】
図１は、本実施形態を示すサーバ装置を適用する印刷システムの構成を示す図である。なお、図１の（Ａ）には、本実施形態に対応すべく複数の画像処理装置（１ａ，１ｂ：以下まとめて１と表記する）とサーバ装置２が通信可能な例を示している。
図１の（Ａ）に示す画像処理装置１は、ＭＦＰ（Ｍｕｌｔｉ  Ｆｕｎｃｔｉｏｎ  Ｐｒｉｎｔｅｒ）、ＳＦＰ（Ｓｉｎｇｌｅ  Ｆｕｎｃｔｉｏｎ  Ｐｒｉｎｔｅｒ  ）、ＬＢＰ（Ｌａｓｅｒ  Ｂｅａｍ  Ｐｒｉｎｔｅｒ）のうち、いずれのプリンタであってもよい。
また、画像処理装置１は、ＭＦＰ、ＳＦＰ、ＬＢＰ以外のプリント方式のプリンタであってもよい。サーバ装置２は、サーバ機能を有するコンピュータであってもよいし、画像処理装置１に示すようなプリンタであってもよい。
【００１１】
図１の（Ａ）において、画像処理装置１とサーバ装置２は、イーサネット（登録商標）等のＬＡＮ（Ｌｏｃａｌ  Ａｒｅａ  Ｎｅｔｗｏｒｋ）３を介し、各種指示を行うホストコンピュータ（情報処理装置）４と接続される。画像処理装置１とサーバ装置２は、ホストコンピュータ４からの印刷指示内容に応じて処理を実行する情報処理装置である。画像処理装置１とサーバ装置２は、ホストコンピュータ４からの印刷指示内容に応じて文書リストを管理する書誌サーバとして動作することもできる。
【００１２】
画像処理装置１は、コントローラ１１０、プリンタ装置１１１、認証部１１２、操作部１１３を備える。コントローラ１１０は、画像処理装置１全体を制御する。コントローラ１１０は、認証部１１２・操作部１１３からの操作指示を受け取り処理実行する。コントローラ１１０は、画像処理装置１がサーバ機能を有する場合はホストコンピュータ４からの印刷指示内容を受け取り処理実行する。
【００１３】
プリンタ装置１１１は、コントローラ１１０の指示に従って、印刷を実行する。認証部１１２は、ユーザによる認証指示を受け取り、ユーザ情報をコントローラ１１０へ通知する。操作部１１３は、コントローラ１１０よりユーザ情報を受け取り、ユーザ情報に従った画面の表示やユーザからの操作指示を受け取りコントローラ１１０へ通知する。
【００１４】
サーバ装置２は、制御装置２１、記憶装置２５を備える。制御装置２１は、ハードウェア資源として、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４を備える。
ＣＰＵ２２は、ＲＯＭ２３又は他の記憶媒体に格納された制御プログラムに基づいて、サーバ装置２全体を制御する。上記制御プログラムは、本実施形態の画像処理装置の制御方法を実現するコンピュータプログラムである。ＲＡＭ２４は、ＣＰＵ２２の作業領域として用いられる記憶手段である。制御装置２１は、ホストコンピュータ４からの印刷指示内容を受け取り処理実行する。記憶装置２５は、ホストコンピュータ４より受け取った印刷データを記憶する。
【００１５】
図１の（Ｂ）を参照して、図１の（Ａ）に示した画像処理装置１のコントローラ１１０に対応する詳細なハードウェア構成例について説明する。
図１の（Ｂ）において、コントローラ１１０は、画像出力デバイスであるプリンタ装置１１１と接続し、プリント出力のための制御を行う。また、コントローラ１１０は、ＬＡＮ３と接続することで、画像情報やデバイス情報をＬＡＮ３経由で入出力するための制御を行う。プリンタ装置１１１はデバイスＩ／Ｆ１３２と結合され、コントローラ１１０で生成された描画データを紙に出力する処理を行う。
【００１６】
ＣＰＵ１２０は画像処理装置１全体を制御するための中央処理装置である。ＲＡＭ１２２は、ＣＰＵ１２０が動作するためのシステムワークメモリであり、入力された画像データを一時記憶するための画像メモリでもある。さらに、ＲＯＭ１２１はブートＲＯＭであり、システムのブートプログラムが格納されている。
記憶装置１２３は、例えばハードディスクドライブとう（ＨＤ）等で構成され、各種処理のためのシステムソフトウェア及び入力された画像データ等を格納する。認証部Ｉ／Ｆ１２４は、外部からの認証情報を受け取る認証部１１２に対するインタフェース部であり、外部から入力された認証情報を受け取りＣＰＵ１２０に伝える役割をする。操作部Ｉ／Ｆ１２５は、画像データ等を表示可能な表示画面を有する操作部１１３に対するインタフェース部であり、操作部１１３に対して操作画面データを出力する。
また、操作部Ｉ／Ｆ１２５は、操作部１１３から操作者が入力した情報をＣＰＵ１２０に伝える役割をする。ネットワークＩ／Ｆ１２６は、例えばＬＡＮカード等で実現され、ＬＡＮ３に接続して外部装置との間で情報の入出力を行う。以上のユニットがシステムバス１２７上に配置されている。
【００１７】
イメージバスＩ／Ｆ１２８は、システムバス１２７と画像データを高速で転送する画像バス１３０と接続するためのインタフェースであり、データ構造を変換するバスブリッジである。画像バス１３０上には、ＲＩＰ（ラスタイメージプロセッサ）１３１、デバイスＩ／Ｆ１３２、プリンタ画像処理部１３３、画像編集用画像処理部１３４、ＣＭＭ（カラーマネージメントモジュール）１２９が接続される。
【００１８】
ＲＩＰ１３１は、ページ記述言語（ＰＤＬデータ）コードや中間データ（ディスプレイリスト）を解析しイメージに展開する。デバイスＩ／Ｆ１３２は、プリンタ装置１１１とコントローラ１１０とを接続し、画像データの同期系／非同期系の変換を行う。
【００１９】
また、プリンタ画像処理部１３３は、プリント出力する画像データに対して、プリンタ装置に応じた補正、解像度変換等の処理を行う。画像編集用画像処理部１３４は、画像データの回転や、画像データの圧縮伸長処理等の各種画像処理を行う。ＣＭＭ１２９は、画像データに対して、プロファイルやキャリブレーションデータに基づいた、色変換処理（色空間変換処理ともいう）を施す専用ハードウェアモジュールである。プロファイルとは、機器に依存した色空間で表現したカラー画像データを機器に依存しない色空間（例えばＬａｂなど）に変換するための関数のような情報である。キャリブレーションデータとは、画像処理装置１におけるプリンタ装置１２の色再現特性を修正するためのデータである。
【００２０】
図２は、図１に示した画像処理装置１とサーバ装置２の動作を制御するコントローラソフトウェアの構成例を示すブロック図である。
図２において、画像処理装置１は、プリンタＩ／Ｆ２００、プリンタ制御部２０２、ジョブ制御部２０４、認証制御部２０１、パネル入出力制御部２０３を備え、コントローラ１１０のＣＰＵ１２０により実行される。プリンタＩ／Ｆ２００は外部との入出力のための手段である。プリンタ制御部２０２は外部から入力された情報に応じてプリンタを制御する。ジョブ制御部２０４は受信した印刷データの印刷処理を行う。認証制御部２０１は認証部Ｉ／Ｆ１２４より認証情報を受け取り、プリンタ制御部２０２へ通知する。パネル入出力制御部２０３は操作部Ｉ／Ｆ１２５を通じて操作部からの入出力を制御する。
【００２１】
サーバ装置２は、サーバＩ／Ｆ２０５、プリンタ制御部２０７、ジョブ管理部２０６、優先プリンタ判定部２０８を備え、制御装置２１のＣＰＵ２２により実行される。サーバＩ／Ｆ２０５は外部との入出力のための手段である。プリンタ制御部２０７は印刷システムの使用状況に応じて画像処理装置１に対して通常モード・省エネモード移行指示を行う。ジョブ管理部２０６はユーザからの印刷データを記憶装置２５に記憶して管理し、画像処理装置より通知されたユーザ情報を元に対応する印刷データを画像処理装置へ送信する。優先プリンタ判定部２０８はユーザの使用履歴を記憶し、記憶した情報を元に優先する画像処理装置を判断する。
【００２２】
図３は、本実施形態のサーバ装置２が備える制御装置２１のＣＰＵ２２が実行する優先プリンタ判定処理を説明する図である。
特に、図３の（Ａ）は、制御装置２１のＣＰＵ２２が実行する印刷データ受信処理のフローに対応し、図３の（Ｂ）は、制御装置２１が記憶するユーザの使用履歴テーブルを示す。なお、図３の（Ａ）に示す各ステップは、ＣＰＵ２２が記憶装置２５等に記憶された制御プログラムを実行することにより実現される。以下の説明では、図２に示したモジュールを主体として説明する。なお、図３の（Ｂ）に示す時間は、後述するサーバ装置がジョブ処理時に、ジョブの処理を終了してからの経過時間に基づいて、前記ジョブを処理すべき画像処理装置に特定する際に参照される。
【００２３】
Ｓ３０１において、ジョブ管理部２０６は、サーバＩ／Ｆ２０５を通じてホストコンピュータ４などから送信された印刷データの受信を行う。Ｓ３０２において、ジョブ管理部２０６は、印刷データ内に含まれるユーザ情報の取得を行う。なお、印刷データ内にユーザ情報が含まれていない場合には、ジョブ管理部２０６が送信元のホストコンピュータ４からユーザ情報を別途送る構成でも構わない。さらに、ジョブ管理部２０６は、印刷データとユーザ情報と受信した時間を記憶装置２５に記憶しておき、後述する使用履歴情報の作成に活用する。
【００２４】
Ｓ３０３において、優先プリンタ判定部２０８は、Ｓ３０２で取得したユーザ情報を元に該当ユーザの使用履歴を取得する。例えば、図３の（Ｂ）に示すように、ユーザが過去Ｎ回の印刷において、どの画像処理装置で、ホストコンピュータ４で印刷を実行してからどのくらいの時間で画像処理装置へ行って印刷したかの時間を集計している。この使用履歴情報は、ジョブ管理部２０６によって、Ｓ３０２で、記憶装置２５に記憶しておいた時間の情報と、ユーザが画像処理装置で印刷を行った時の時間の情報を元に作成される。
【００２５】
次に、Ｓ３０４において、優先プリンタ判定部２０８は、Ｓ３０１で受信された印刷データに印刷を実行する画像処理装置の情報が含まれているかどうかを判断する。印刷を実行する画像処理装置の情報が含まれていると優先プリンタ判定部２０８が判定した場合はＳ３０５へ進み、含まれていないと優先プリンタ判定部２０８が判定した場合はＳ３０７へ進む。
【００２６】
Ｓ３０５において、プリンタ制御部２０７は、Ｓ３０３により取得されたユーザの使用履歴情報と、Ｓ３０４により取得されたユーザが印刷を実行する画像処理装置情報を元に画像処理装置の復帰時間を算出する。例えば、図３の（Ｂ）に示すテーブルのように、ユーザがプリンタＡを指定した場合、履歴の中で一番時間が短い３０秒という値を取得する。ユーザの使用履歴情報が十分に集まっていない場合や、印刷システム内の設定ですぐに復帰させるような設定になっている場合は、復帰時間の算出は行わず、０秒としても良い。
【００２７】
Ｓ３０６において、プリンタ制御部２０７は、Ｓ３０５により算出された復帰時間の情報を元に指定された画像処理装置に対してユーザ情報と復帰指示情報を送信して、本処理を終了する。
なお、Ｓ３０５において、０秒と判断された場合は直ちにユーザ情報と復帰指示情報を送信し、３０秒と判断された場合は３０秒後にユーザ情報と復帰指示情報を送信する。
この時、指定された画像処理装置が省エネモードから通常モードへ移行する時間が長い場合は、復帰時間よりも早く復帰指示をしても構わない。
【００２８】
Ｓ３０７では、優先プリンタ判定部２０８は、Ｓ３０３により取得されたユーザの使用履歴情報を元に印刷が優先される画像処理装置を決定する。例えば、図３の（Ｂ）のテーブルに示すように、ユーザの使用履歴Ｎ回の間で一番使用頻度の高いプリンタＡを印刷が優先される画像処理装置と判断する。また、直前に使用したプリンタ情報を元に判断を行っても構わない。
【００２９】
Ｓ３０８において、プリンタ制御部２０７は、Ｓ３０３により取得されたユーザの使用履歴情報と、Ｓ３０７により優先されると判断された画像処理情報を元に画像処理装置の復帰時間を算出する。なお、算出方法はＳ３０５と同様である。
【００３０】
Ｓ３０９において、プリンタ制御部２０７は、Ｓ３０８により算出された復帰時間の情報を元に印刷が優先される画像処理装置に対してユーザ情報と復帰指示情報を送信して、本処理を終了する。なお、指示方法はＳ３０６と同様である。
【００３１】
図４は、本実施形態を示す画像処理装置の制御方法を説明するフローチャートである。本例は、図１に示した画像処理装置１が備えるコントローラ１１０のＣＰＵ１２０が実行する印刷実行処理例である。以下、図３に示した優先プリンタ判定処理においてユーザに指定されたか、印刷が優先されると判断された画像処理装置での印刷実行処理を説明する。なお、各ステップは、画像処理装置のＣＰＵ１２０が記憶装置１２３に記憶された制御プログラムを実行することで実現される。なお、以下の説明では、ＣＰＵ１２０が実行するモジュールを主体として説明する。
【００３２】
Ｓ４０１において、プリンタ制御部２０２は、プリンタＩ／Ｆ２００を通じてサーバ装置２から送られてくる情報を受信する。図３の（Ａ）に示したＳ３０６、Ｓ３０９の処理によりサーバ装置２が送信する情報である。この中には、これから印刷を実行しようとするユーザ情報と画像処理可能な通常状態への移行指示が含まれる。
【００３３】
Ｓ４０２において、プリンタ制御部２０２は、画像処理装置１が省電力状態であると判断した場合はＳ４０３へ進み、画像処理装置１が画像処理可能な状態（通常状態）であると判断した場合はＳ４０４へ進む。
Ｓ４０３において、プリンタ制御部２０２は、画像処理装置１を省電力状態から通常状態へと移行させる。
【００３４】
Ｓ４０４において、プリンタ制御部２０２は、認証制御部２０１で認証情報を取得したかどうかを判断する。ユーザからの認証情報を取得したと判断した場合はＳ４０５へ進み、ユーザからの認証情報を取得していないと判断した場合はＳ４０８へ進む。
【００３５】
Ｓ４０５において、プリンタ制御部２０２は、Ｓ４０４で取得した認証情報を元にユーザを特定し、ユーザ情報をサーバ装置２へ送信する。この情報をサーバ装置２が受信して使用履歴として記憶することで、図３の（Ｂ）に示す使用履歴を作成することができる。Ｓ４０６において、ジョブ制御部２０４は、認証されたユーザに対応する印刷データをサーバ装置２より受信を行う。
【００３６】
Ｓ４０７において、ジョブ制御部２０４は、Ｓ４０６で受信された印刷データの解析を行い、印刷実行を行い、本処理を終了する。
本実施形態では、事前にユーザより印刷を行う画像処理装置を指定されるか、優先プリンタ判定処理により優先されると判断された画像処理装置でユーザが認証を行った場合は、対応する印刷データを直ちに印刷実行する例を述べた。本実施形態の構成だけでなく、ユーザが認証を行った場合に印刷を行うデータをリスト表示し、ユーザに選択させる構成を取っても構わない。
【００３７】
一方、Ｓ４０８では、プリンタ制御部２０２は、一定時間ユーザからの認証情報が取得できないと判断した場合はＳ４０９へ進み、一定時間経過していない場合は再度Ｓ４０４に進む。一定時間とは例えば、図３の（Ｂ）の使用履歴を元にプリンタＡに対しては１２０秒を過ぎたらすぐに認証される可能性が低いと判断しても良いし、固定時間を設定しても良い。
Ｓ４０９において、プリンタ制御部２０２は、画像処理装置１を通常状態から省電力状態へ移行させて、本処理を終了する。
【００３８】
以上の処理により、一度サーバ機能を有する情報処理装置へ印刷データを保存してから画像処理装置内から情報処理装置内のデータを取得して印刷する場合であっても、ユーザが印刷を行う画像処理装置を事前に通常モードへ移行させておくことが可能となる。これにより、ユーザが画像処理装置に着いてから通常モードへ移行させる必要が無く待ち時間を軽減させることができる。
【００３９】
〔第２実施形態〕
本実施形態では、第１実施形態に示す印刷実行処理について別の実施形態について説明する。
【００４０】
図５は、本実施形態を示す画像処理装置の制御方法を説明するフローチャートである。本例は、図１に示した画像処理装置１が備えるコントローラ１１０のＣＰＵ１２０が実行する印刷実行処理例である。以下、図３の優先プリンタ判定処理においてユーザに指定されたか、印刷が優先されると判断された画像処理装置ではない画像処理装置での印刷実行処理を説明する。なお、各ステップは、画像処理装置のＣＰＵ１２０が記憶装置１２３に記憶された制御プログラムを実行することで実現される。なお、以下の説明では、ＣＰＵ１２０が実行するモジュールを主体として説明する。
【００４１】
Ｓ５０１において、プリンタ制御部２０２は、画像処理装置１が省電力状態であると判断した場合はＳ５０２へ進み、画像処理装置１が画像処理開始可能な通常状態であると判断した場合はＳ５０４へ進む。
【００４２】
Ｓ５０２において、プリンタ制御部２０２は、省電力状態から通常状態への復帰指示があるかどうかを判断して、復帰指示があるとプリンタ制御部２０２が判断した場合、Ｓ５０３へ進み、復帰指示が無いとプリンタ制御部２０２が判断した場合は再度Ｓ５０１へ進む。省電力状態から通常状態への復帰指示は、ユーザからの指示であり、画像処理装置１の操作部を操作するなどで実現される。
Ｓ５０３において、プリンタ制御部２０２は、画像処理装置１を通常状態へと移行させる。なお、省電力状態からの復帰処理は、電源制御により実現されるので、詳細な説明は省略する。
【００４３】
Ｓ５０４において、プリンタ制御部２０２は、認証制御部２０１で認証情報を取得したかどうかを判断する。ユーザからの認証情報を取得しているとプリンタ制御部２０２が判断した場合はＳ５０５へ進み、ユーザからの認証情報を取得していないとプリンタ制御部２０２が判断した場合はＳ５１０へ進む。
【００４４】
Ｓ５０５において、プリンタ制御部２０２は、Ｓ５０４で取得した認証情報を元にユーザを特定し、ユーザ情報をサーバ装置２へ送信する。この情報をサーバ装置２が受信して使用履歴として記憶することで図３の（Ｂ）のような使用履歴を作成することができる。この時、サーバ装置２は受信したユーザ情報を元に事前に省電力状態から通常状態への復帰指示を行っていた画像処理装置が存在する場合は、再度省電力状態へ移行させるように画像処理装置に通知を行う。
【００４５】
Ｓ５０６において、プリンタ制御部２０２は、Ｓ５０５で特定したユーザ情報を元にサーバ装置２よりユーザの印刷データリスト情報を取得して、パネル入出力制御部２０３へ通知を行う。
【００４６】
Ｓ５０７において、パネル入出力制御部２０３は、Ｓ５０６で取得した印刷データリストを操作部Ｉ／Ｆ１２５を通して操作部１１３へ表示を行い、ユーザに印刷データの選択を行ってもらう。ユーザより印刷データの選択がされたら、選択された印刷データの情報をジョブ制御部２０４へ通知する。
Ｓ５０８において、ジョブ制御部２０４は、Ｓ５０７で選択された印刷データをサーバ装置２より受信を行う。次に、Ｓ５０９において、ジョブ制御部２０４は、Ｓ５０８で受信された印刷データの解析を行い、印刷実行を行い、本処理を終了する。
【００４７】
一方、Ｓ５１０では、プリンタ制御部２０２は、一定時間経過していると判断した場合、この場合はユーザからの認証情報が取得できないと判断して、Ｓ５１１へ進み、一定時間経過していないと判断した場合は再度Ｓ５０４に進む。ここで、一定時間とは例えば、図３（Ｂ）の使用履歴を元にプリンタＡに対しては１２０秒を過ぎたらすぐに認証される可能性が低いと判断しても良いし、固定時間を設定しても良い。
Ｓ５１１において、プリンタ制御部２０２は、画像処理装置１を通常状態から省電力状態へ移行させる。
【００４８】
以上の処理により、ユーザが印刷を行う画像処理装置を事前に通常状態へ移行させておいたが、ユーザが他の画像処理装置に行って印刷実行を行った場合に、通常状態へ移行させておいた画像処理装置を省電力状態へ再度移行させることが可能となる。
なお、サーバ装置がジョブを処理すべき画像処理装置を特定する処理として、ユーザがお気に入りに登録した画像処理装置を登録情報として管理し、当該登録情報に基づいて、ジョブを処理すべき画像処理装置を特定することも可能である。
【００４９】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５０】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５１】
１ａ、１ｂ  画像処理装置
２  サーバ装置、
４  情報処理装置
【図１】
2014235679.tif 000003
【図２】
2014235679.tif 000004
【図３】
2014235679.tif 000005
【図４】
2014235679.tif 000006
【図５】
2014235679.tif 000007